(57)【要約】【課題】表示部を小型化することができるとともに視認性を向上させることができる流量センサの単位表示構造を提供すること。【解決手段】流量センサ１の単位表示画面４３に、「ｍ」表示セグメント５０、「Ｌ」表示セグメント５１、「3」表示セグメント５２、および「／ｍｉｎ」表示セグメント５３を設け、各表示セグメント５０〜５３を「ｍＬ3／ｍｉｎ」と配置する。そして、各表示セグメント５０〜５３を、ＣＰＵ基板２２からの指令により、液晶３４に対する通電を制御することによって独立して点灯・消灯させることにより、瞬時流量単位である「ｍＬ／ｍｉｎ」「Ｌ／ｍｉｎ」「ｍ3/ｍｉｎ」、および積算流量単位である「ｍＬ」「Ｌ」「ｍ3」の合計６種類の単位表示を切り替えて表示することができる。【選択図】図２
2008281369.tif 000002
【特許請求の範囲】
【請求項１】
流量センサの表示部に単位の表示を行う流量センサの単位表示構造であって、
表示セグメントとして「ｍ」「Ｌ」「3」「／ｍｉｎ」の４種類のセグメントを備え、
前記各表示セグメントが前記表示部に「ｍＬ3／ｍｉｎ」と配置されており、
前記各表示セグメントの点灯・消灯を独立して行うことにより、前記表示部に流量単位を表示することを特徴とする流量センサの単位表示構造。
【請求項２】
請求項１に記載する流量センサの単位表示構造において、
前記各表示セグメントが液晶で作成されていることを特徴とする流量センサの単位表示構造。
【請求項３】
請求項１に記載する流量センサの単位表示構造において、
前記各表示セグメントがＬＥＤで作成されていることを特徴とする流量センサの単位表示構造。
【請求項４】
請求項１から請求項３に記載するいずれか１つの流量センサの単位表示構造において、
前記表示セグメント制御手段は、前記流量センサの省電力モード時には、前記各表示セグメントのうち「Ｌ」のみを点灯させることを特徴とする流量センサの単位表示構造。
【発明の詳細な説明】
【技術分野】
【０００１】
本発明は、流量センサにより検出される流量の単位を表示するための流量センサの単位表示構造に関する。
【背景技術】
【０００２】
流量センサにおいて使用する単位表示文字としては、瞬時流量である「ｍＬ／ｍｉｎ」「Ｌ／ｍｉｎ」「ｍ3/ｍｉｎ」および積算流量である「ｍＬ」「Ｌ」「ｍ3」を使用している。そして、このような単位を表示板に表示するには、必要な単位表示文字を予め透かし文字で形成しておき表示板に並べておき、表示させたい単位に対して表示板の裏面から光を当てることにより表示板に表示していた（特許文献１）。
【特許文献１】特開平１０−２３９１９８号公報
【発明の開示】
【発明が解決しようとする課題】
【０００３】
しかしながら、上記した表示構造を流量センサに用いた場合には、瞬時流量である「ｍＬ／ｍｉｎ」「Ｌ／ｍｉｎ」「ｍ3/ｍｉｎ」および積算流量である「ｍＬ」「Ｌ」「ｍ3」等の単位を、予め透かし文字で形成しておき表示板に並べておかなければならず、表示部が大きくなってしまうという問題があった。特に、近年の流量センサは小型化が進んでおり、表示部に対しても小型化が望まれている。
また、上記した表示構造では、透かし文字で形成した単位を並べて必要な部分を発光させているが、発光していない部分も透けて計測者に見えてしまうため、視認性が良くないという問題もあった。このため、計測者が流量単位を読み間違えてしまうおそれがあった。
【０００４】
そこで、本発明は上記した課題を解決するためになされたものであり、表示部を小型化することができるとともに視認性を向上させることができる流量センサの単位表示構造を提供することを課題とする。
【課題を解決するための手段】
【０００５】
上記課題を解決するためになされた本発明に係る流量センサの単位表示構造は、流量センサの表示部に流量単位の表示を行う流量センサの単位表示構造であって、表示セグメントとして「ｍ」「Ｌ」「3」「／ｍｉｎ」の４種類のセグメントを備え、前記各表示セグメントが前記表示部に「ｍＬ3／ｍｉｎ」と配置されており、前記各表示セグメントの点灯・消灯を独立して行うことにより、前記表示部に流量単位を表示することを特徴とする。
【０００６】
この流量センサの単位表示構造では、独立して点灯・消灯が可能な４種類の表示セグメント「ｍ」「Ｌ」「3」「／ｍｉｎ」を備えており、これらの表示セグメントが流量センサの表示部にて、「ｍＬ3／ｍｉｎ」と配置されている。そして、各表示セグメントの点灯・消灯を独立して行うことにより、流量センサの表示部に流量単位を表示する。これにより、瞬時流量である「ｍＬ／ｍｉｎ」「Ｌ／ｍｉｎ」「ｍ3/ｍｉｎ」、および積算流量である「ｍＬ」「Ｌ」「ｍ3」の単位をすべて表示することができる。
【０００７】
このように、この流量センサの単位表示構造によれば、流量センサに必要となる瞬時流量である「ｍＬ／ｍｉｎ」「Ｌ／ｍｉｎ」「ｍ3/ｍｉｎ」、および積算流量である「ｍＬ」「Ｌ」「ｍ3」の単位をすべて予め並べておく必要がなく、４種類の表示セグメントを表示部に「ｍＬ3／ｍｉｎ」と配置しておくだけで、瞬時流量である「ｍＬ／ｍｉｎ」「Ｌ／ｍｉｎ」「ｍ3/ｍｉｎ」、および積算流量である「ｍＬ」「Ｌ」「ｍ3」の単位をすべて表示することができる。従って、４種類の表示セグメントを配置する小さなスペースだけ単位表示することができるため、流量の単位表示部を小さくすることができ、ひいては表示部自体を小型化することができる。
【０００８】
また、この流量センサの単位表示構造によれば、各表示セグメントを点灯あるいは消灯させることにより、上記した単位を表示するので、従来の表示構造のように他の単位表示が透けて見えることがなく、単位表示の視認性を向上させることもできる。このため、流量単位を読み間違えることを確実に防止することができる。
さらに、この流量センサの単位表示構造によれば、上記した６種類の単位を表示することができることから、流量レンジが異なる流量センサであっても共通化して使用することができる。
【０００９】
本発明に係る流量センサの単位表示構造においては、前記各表示セグメントが液晶で作成されていることが望ましい。あるいは、前記各表示セグメントがＬＥＤで作成されていてもよい。
これにより、各表示セグメントの視認性を向上させることができるため、各表示セグメント自体を小さくすることができるので、表示部を小型化することができる。また、電力消費を小さくすることもできる。
【００１０】
また、本発明に係る流量センサの単位表示構造においては、前記流量センサの省電力モード時には、前記各表示セグメントのうち「Ｌ」のみを点灯させることが望ましい。
【００１１】
このようにすることにより、新たな表示セグメントを追加することなく、単位表示の他に流量センサの状態（省電力モード）を表示することができる。つまり、小さな流量の単位表示部でありながら、流量センサの状態（省電力モード）をも表示することができる。これにより、流量センサの状態把握が容易になる。
【発明の効果】
【００１２】
本発明に係る熱式流量計によれば、上記した通り、単位表示を切り替える場合であっても表示部を小型化することができるとともに視認性を向上させることができる。
【発明を実施するための最良の形態】
【００１３】
以下、本発明の熱式流量計を具体化した最も好適な実施の形態について図面に基づいて詳細に説明する。本実施の形態は、ガスの流体を計測する熱式流量センサに本発明を適用したものである。そこで、まず、本実施の形態に係る熱式流量センサの構成について、図１を参照しながら説明する。図１は、実施の形態に係る熱式流量センサの分解斜視図である。
【００１４】
本実施の形態に係る流量センサ１０は、図１に示すように、ガスが流れる流路が形成されたボディ１１と、ボディ１１に装着されてバイパス流路を形成する流路ブロック１２と、抵抗体が架橋されたセンサ流路が形成されているセンサ部１５と、センサ部１５の検出信号に基づきガスの流量を算出するとともに、計測された流量等を表示する表示部３０と、表示部３０における表示の制御などを行う制御部２０とを備えている。そして、流量センサ１０において、制御部２０により、センサ部１５で検出された流量信号に基づき、表示部３０に流量値および流量単位が表示されるようになっている。
【００１５】
この流量センサ１では、流路ブロック１２が装着されたボディ１１に対して、センサ部１５が、シールパッキン１３を介して４本のネジ１７によってモジュール押さえ１６で密着・固定されている。これにより、流量センサの本体部が構成され、その上方に制御部２０および表示部３０が配置されている。
【００１６】
ここで、制御部２０には、増幅回路などが構成されたアンプ基板２１と、制御回路などが構成されたＣＰＵ基板２２と、アンプ基板２１とＣＰＵ基板２２との間に介在する樹脂製スペーサ２３とが備わっている。また、表示部３０には、スペーサ３１、ゼブラゴム３２、拡散シート３３、液晶３４、フロントシート３５、および樹脂製の液晶カバー３６が備わっている。そして、これらの部品がケース１８によって保持される。これにより、センサ部１５とアンプ基板２１およびＣＰＵ基板２２が電気的に接続されるとともに、ＣＰＵ基板２２と液晶３４とがゼブラゴム３２を介して電気的に接続されるようになっている。
【００１７】
続いて、流量センサ１の表示部３０における表示画面について、図２を参照しながら説明する。図２は、表示部における表示画面の構成を示す図である。表示画面４０には、図２に示すように、メイン画面４１と、サブ画面４２と、単位表示画面４３とが備わっている。これらの各画面４１〜４３の表示は、ＣＰＵ基板２２からの指令により、液晶３４に対する通電が制御されることにより、各種表示が行われるようになっている。各画面４１〜４３の表示を液晶を使用して行うことにより、消費電力を非常に小さくすることができる。
【００１８】
具体的には、メイン画面４１には、４桁の数字が表示可能となっており、主として瞬時流量が表示されるようになっている。サブ画面４２には、４桁の数字表示、および右矢印表示と左矢印表示が可能になっており、主として流れ方向表示（選択時あるいは計測時）および設定値（計測時）が表示されるようになっている。また、メイン画面４１およびサブ画面４２を連動させて、流量を最大で８桁表示することもできるようになっている。
【００１９】
そして、本発明の特徴である単位表示画面４３には、「ｍ」表示セグメント５０、「Ｌ」表示セグメント５１、「3」表示セグメント５２、および「／ｍｉｎ」表示セグメント５３が備わっている。これらの各表示セグメント５０〜５３は、ＣＰＵ基板２２からの指令により、液晶３４に対する通電が制御されることにより、独立して点灯・消灯されるようになっている。そして、各表示セグメント５０〜５３が「ｍＬ3／ｍｉｎ」と配置されている。これにより、単位表示画面４３では、図３に示すように、瞬時流量単位である「ｍＬ／ｍｉｎ」「Ｌ／ｍｉｎ」「ｍ3/ｍｉｎ」、および積算流量単位である「ｍＬ」「Ｌ」「ｍ3」の合計６種類の単位表示を行うことができるようになっている。なお、図３は、単位表示画面における単位表示例を示す図である。
【００２０】
次に、上記した流量センサ１０の動作について単位表示を中心に説明する。まず、流量センサ１０にガスが流されてその流量がセンサ部１５において検出される。そして、センサ部１５における検出値に基づきＣＰＵ基板２２において流量が算出されるとともに、算出された流量の単位が決定される。この算出結果および単位決定結果に基づくＣＰＵ基板２２から指令により、液晶３４の駆動（通電）が制御される。その結果、表示画面４０に、流量および単位が表示される。
【００２１】
例えば、瞬時流量単位「ｍＬ／ｍｉｎ」を表示させる場合には、「ｍ」表示セグメント５０、「Ｌ」表示セグメント５１、および「／ｍｉｎ」表示セグメント５３が点灯されて単位表示画面４３に「ｍＬ ／ｍｉｎ」と表示される。また、瞬時流量単位「Ｌ／ｍｉｎ」を表示させる場合には、「Ｌ」表示セグメント５１と「／ｍｉｎ」表示セグメント５３が点灯されて単位表示画面４３に「  Ｌ ／ｍｉｎ」と表示される。瞬時流量単位「ｍ3／ｍｉｎ」を表示させる場合には、「ｍ」表示セグメント５０、「3」表示セグメント５２、および「／ｍｉｎ」表示セグメント５３が点灯されて単位表示画面４３に「ｍ  3／ｍｉｎ」と表示される。
また、積算流量単位「ｍＬ」を表示させる場合には、「ｍ」表示セグメント５０と「Ｌ」表示セグメント５１が点灯されて単位表示画面４３に「ｍＬ         」と表示される。また、積算流量単位「Ｌ」を表示させる場合には、「Ｌ」表示セグメント５１のみが点灯されて単位表示画面４３に「  Ｌ         」と表示される。また、積算流量単位「ｍ3」を表示させる場合には、「ｍ」表示セグメント５０と「3」表示セグメント５２が点灯されて単位表示画面４３に「ｍ  3         」と表示される。
【００２２】
このように流量センサ１０の単位表示画面４３では、限られたスペース内に６種類の単位を表示することができる。これにより、単位表示を切り替える場合であっても、単位表示に使用する表示スペースを小さくすることができる。その結果、表示画面４３を小型化することができる。また、単位表示画面４３では、上記した６種類の単位を表示することができるから、流量レンジが異なる流量センサであっても共通化して使用することができる。さらに、各表示セグメント５０〜５３を点灯あるいは消灯させることにより、上記した単位を表示するので、従来の表示構造のように表示不要な部分が透けて見えることがなく、単位表示の視認性を向上させることもできる。このため、流量単位を読み間違えることを確実に防止することができる。
【００２３】
さらに、流量センサ１が省電力モードに入った場合には、メイン画面４１およびサブ画面４２の表示セグメントのすべてが消灯された状態で、「Ｌ」表示セグメント５１のみが点灯されて単位表示画面４３に「  Ｌ         」と表示される。これにより、流量センサ１では、省電力モードであるか否かを容易に把握することができる。
【００２４】
以上、詳細に説明したように本実施の形態に係る流量センサ１０によれば、単位表示画面４３に、「ｍ」表示セグメント５０、「Ｌ」表示セグメント５１、「3」表示セグメント５２、および「／ｍｉｎ」表示セグメント５３が設けられ、各表示セグメント５０〜５３が「ｍＬ3／ｍｉｎ」と配置されている。そして、各表示セグメント５０〜５３が、ＣＰＵ基板２２からの指令により、液晶３４に対する通電が制御されることによって独立して点灯・消灯される。これにより、瞬時流量単位である「ｍＬ／ｍｉｎ」「Ｌ／ｍｉｎ」「ｍ3/ｍｉｎ」、および積算流量単位である「ｍＬ」「Ｌ」「ｍ3」の合計６種類の単位表示を画面上に予め並べておく必要がなく、４種類の表示セグメント５０〜５３を配置する小さなスペースだけで合計６種類の単位表示を行うことができる。従って、単位表示画面４３を小さくすることができ、ひいては表示画面４０を小型化することができる。
また、各表示セグメント５０〜５３を点灯あるいは消灯させることにより、単位表示を切り替えるので、表示していない単位表示が透けて見えることがないため、単位表示の視認性を向上させることもできる。従って、流量単位を読み間違えることを確実に防止することができる。
【００２５】
なお、上記した実施の形態は単なる例示にすぎず、本発明を何ら限定するものではなく、その要旨を逸脱しない範囲内で種々の改良、変形が可能であることはもちろんである。例えば、上記した実施の形態では、表示画面４０における各表示セグメントを液晶により構成したものを例示しているが、液晶の代わりにＬＥＤにより表示セグメントを構成することもできる。
また、上記した実施の形態では、ガスの流量を測定する熱式流量センサの表示部に本発明を適用したものを例示したが、ガス以外の流体の流量を測定するための流量センサ（例えば、渦型流量センサなど）であれば本発明を適用することができる。
【図面の簡単な説明】
【００２６】
【図１】実施の形態に係る熱式流量センサの分解斜視図である。
【図２】表示部における表示画面の構成を示す図である。
【図３】単位表示画面における単位表示例を示す図である。
【符号の説明】
【００２７】
１０    流量センサ
１１    ボディ
１２    流路ブロック
１３    シールパッキン
１５    センサ部
１６    モジュール押さえ
１７    ネジ
１８    ケース
２０    制御部
２１    アンプ基板
２２    ＣＰＵ基板
３０    表示部
３１    スペーサ
３２    ゼブラゴム
３３    拡散シート
３４    液晶
３５    フロントシート
３６    液晶カバー
４０    表示画面
４１    メイン画面
４２    サブ画面
４３    単位表示画面
５０    「ｍ」表示セグメント
５１    「Ｌ」表示セグメント
５２    「3」表示セグメント
５３    「／ｍｉｎ」表示セグメント
【図１】
2008281369.tif 000003
【図２】
2008281369.tif 000004
【図３】
2008281369.tif 000005